(57)【特許請求の範囲】
【請求項１】
a)両側部より前方に突出した少なくとも２つの突出要素を有する靴底を備えた靴部分と、b)前記靴底に接続したブレードと、c)該ブレードに実質的に横断方向に設けた少なくとも１つの伸張可能要素とを包含し、該伸張可能要素が、その側部で前記突出要素に、またその中央で前記突出要素間の領域においてブレード表面に夫々接続している水泳用フリッパー。
【請求項２】
請求項１に記載の水泳用フリッパーにおいて、1)前記伸張可能要素が少なくとも２つの側部部分と少なくとも１つの中央部分とからなり、2)前記側部部分はその端部が前記突出要素に、また前記中央部分は前記ブレード表面に形成された適宜な取付部により前記ブレードの表面に夫々接続している水泳用フリッパー。
【請求項３】
請求項２記載の水泳用フリッパーにおいて、1)前記取付部が前記ブレードの表面に形成された少なくとも１対のスロットからなり、2)前記伸張可能要素が該スロットを通って当該要素の側部部分が前記ブレードの表面に重なっている水泳用フリッパー。
【請求項４】
請求項１記載の水泳用フリッパーにおいて、前記伸張可能要素はその各端部に於て、相対する前記突出要素に設けられた取付部に固定されている水泳用フリッパー。
【請求項５】
請求項１記載の水泳用フリッパーにおいて、前記ブレードと前記靴底との間に溝が形成されており、該溝がエラストマ材料層により充填されている水泳用フリッパー。
【請求項６】
請求項１記載の水泳用フリッパーにおいて、前記伸張可能要素がエラストマ材料で作られている水泳用フリッパー。
【請求項７】
請求項５記載の水泳用フリッパーにおいて、前記突出要素にエラストマ材料を重ね成形することにより、前記伸張可能要素および前記エラストマ材料層が前記靴底の前記突出要素の側部に接続されている水泳用フリッパー
【請求項８】
請求項１記載の水泳用フリッパーにおいて、前記ブレード及び前記靴底が、それらの分離を許容する手段により接続されている水泳用フリッパー。
【請求項９】
請求項８記載の水泳用フリッパーにおいて、a)前記ブレードはその後方部分に一つまたはそれ以上の突出条片を備え、当該突出条片が前記靴底の表面の適宜な位置に備えられた取付部に固定されており、またb)前記靴底はその前方部分に一つまたは二以上の突出条片を備え、当該突出条片が前記ブレード表面の適宜な位置に備えられた取付部に固定された水泳用フリッパー。
【請求項１０】
請求項８記載の水泳用フリッパーにおいて、a)前記靴底の前方部分が前記ブレードの後方部分と部分的に重なっており、b)前記伸張可能要素が適宜な接続手段により、前記靴底の前方部分の表面に接続している水泳用フリッパー。
【請求項１１】
請求項１０記載の水泳用フリッパーにおいて、前記接続手段が前記靴底の表面の上方に突出するスロットからなり、前記伸張可能要素が該スロットを通る水泳用フリッパー。
【発明の詳細な説明】
【０００１】
【発明の属する技術分野】
本発明は、水泳用フリッパー（足ひれ）、特に、実質的にブレードと靴底を備え好適な形状に成形された靴部分または履き物部分とからなるフリッパーに関する。
【０００２】
【従来の技術】
水泳中、スキューバダイバーは、実質的にそれぞれの足のフリッパーで同期的かつ連続的に２種類の水かき運動、すなわちダウンーアップ運動またはアクティブ フリッピング及びアップーダウン運動またはパッシブ フリッピングをしている。パッシブ フリッピング中は、ブレード部分の背面が下の水の質量体に作用し、これに対してアクティブ フリッピング中は、ブレードの下面が水の質量体に作用して、スキューバダイバーにとって必要な前進のスラストを発生させている。靴底に対してある角度回転でき、側部伸張可能要素により靴底の前部突出要素に接続されているブレードを備えたフリッパーの存在は知られている。このフリッパーでは、パッシブ フリッピング中、ブレードに作用する水の力により側部伸張可能要素が引き伸ばされて、靴部分及び靴底に対するブレードの傾斜を変化させて、スキューバダイバーの動きを楽にする。アクティブ フリッピング中は、側部伸張可能要素は縮んで元の休息位置（応力のかかっていない緩和位置）へと戻り、実質的にブレードが靴底面と揃うようにし、これにより、フリッパーが、下面に接触する水の質量体に広いスラスト面をもって接する最適状態となるようにしている。しかしながら、ブレードが靴部分及びその靴底に対してある角度回転するので、このようなフリッパーは、アクティブ フリッピングの終わりに当たってブレードが達する行程の引き返し点の固定を必要とする。この引き返し点の固定は、ブレードを形成するのをかなり困難とし、側部伸張要素を取り外したり交換したりするのが困難である上に、常にブレードの完全な弾性及びたわみ性を許容するものとはならない。
【０００３】
本発明は、公知のフリッパーの上述の欠点を解消し、実行しやすくスキューバダイバーのアクティブ フリッピング及びパッシブ フリッピングに際して高い効率を得ることができる水泳用フリッパーを提供することを目的としている。
【０００４】
本発明によれば、この目的は、その両側部より前方に突出した少なくとも２つの突出要素を有する靴底と、この靴底に連結したブレードとを備えた履き物部分または靴部分からなる水泳用フリッパーにより達成される。このフリッパーは、ブレードをほぼ横断するように配置された少なくとも一つ以上の伸張可能要素を備えている。当該伸張可能要素は、その側部は前記突出要素に連結しておりかつその中央部は前記２つの突出要素間に挟まれた領域にあるブレード表面と連結している。
【０００５】
本発明の１つの態様によれば、その伸張可能要素は、端部が突出要素に接続された少なくとも２つの側部部分と、前記ブレード表面に形成された適宜な取付部によりブレード表面に接続された少なくとも１つの中央部分とを備えている。伸張可能要素の側部部分は、アクティブ フリッピング中は、その行程におけるブレードの上面に対しての当接要素または制限要素と見なされ得るので、行程の折り返し点を固定してしまうことを有利に回避することができる。
【０００６】
さらに、本発明の他の態様によれば、横断方向の伸張可能要素の装架によって、ブレードを、必要に応じて取り外し可能な手段により靴底に接続するようにしたフリッパーを提供することが可能である。
【０００７】
本発明のさらなる目的及び利点は、添付図を参照して下述する非限定的な例から、よりよく理解されよう。
【０００８】
【発明の実施の形態】
【０００９】
図１は、本発明による水泳用フリッパーを示す。この水泳用フリッパーは、例えばエラストマ材料のような比較的軟質の材料からなり、靴底２に取り付けた履き物部分または靴部分１を備えている。靴底２は、その両側部より前方に突出した２つの突出要素２０１を有する。靴底２及びその突出要素２０１は、例えば熱可塑性材料のような比較的剛性の材料から作られている。フリッパーは、その前部にブレード３を有し、これは、適宜な形状を有し、靴底の他の部分よりも薄い厚さの溝２０２を介して靴底２へ接続され、溝２０２を軸にブレード３が屈曲できるヒンジを形成している。溝２０２には、好適にはエラストマ材料のような軟質材料の層４が、突出要素２０１への重ね成型のプロセスにより充填されている。ブレード３には２つのスロット３０１が穿設されている。スロット３０１は突出要素２０１の各々の端部と実質的に横方向に並ぶように配置されており、該スロットにはブレードを横断する方向に伸張可能な伸張可能要素５が通るようになっている。伸張可能要素５は、エラストマ材料から作られる。伸張可能要素５は、前記スロットを通るため、２つの側部部分５０２はブレード３の上面上側に位置し、中央部分５０３はブレード３の下面下側に位置する。伸張可能要素５のそれぞれの側部は、適当な形状を有し、かつ伸張可能要素５の残りの部分に比べて厚い厚さを有する端部部分５０１を備える。この端部部分５０１は、対応する突出要素２０１の端部近くに形成した取付部２０３にはめ込まれている。伸張可能要素５の端部部分５０１を取付部２０３内に嵌め込む代わりに、例えばねじ、ピンまたはその他の取り外し可能な手段により伸張可能要素の端部を突出要素に取り付ける他の機械的な固定システムを設けることもできよう。
【００１０】
図１は、ブレード３が靴部分１の靴底２の面と実質的に揃っている位置、すなわち、アクティブ フリッピングの始めの状態にある本発明のフリッパーを示している。この位置は、伸張可能要素５の周辺部分に位置するブレード３の上面が伸張可能要素５の側部部分５０２の下面に丁度接する位置である。図２は、図１に示すフリッパーがパッシブ フリッピングの終わりの位置にある状態を示している。伸張可能要素５の側部部分５０２は最大限に伸張しており、ブレード３は靴底２に対して傾斜している。この状態には、溝２０２により形成されたヒンジを中心としてブレード３が屈曲することにより達することができ、これによりダイバーがパッシブ フリッピングの段階を容易に完了させることが出来る。
【００１１】
図３は、本発明フリッパーの変形例を示す。このフリッパーでは、ブレード３及び靴底２は分離することが出来る。ブレード３には、その背部リムに、適宜な形状とした２つの突出条片３０２が設けられており、これが、層４が充填された溝２０２の前方において靴底２に形成された２つの取付部２０４内に嵌め込まれている。靴底２は、その前部リムに、適宜の形状とされた２つの突出条片２０５を備えている。該突出条片２０５は、ブレード３の前記突出条片３０２と同様に、このブレード３の表面に形成した２つの取付部３０３内に嵌め込まれている。それゆえ、一見して分かるように、フリッパーの靴底２の前方部分は、ある長さに亘ってブレード３の背面と重なっている。伸張可能要素５及び層４は、本発明のこの変形例によれば、図１及び図２について記述した機械的な固定の代わりに、靴底２の突出要素２０１の上にエラストマ材料を重ね成型することにより得られる。伸張可能要素５の中央部分５０３はスロット２０６を通る。このスロット２０６は、靴底２の表面を適宜な形状に成形することにより、または靴底の上面に別部材を取り付けることにより得ることができる。アクティブ フリッピング及びパッシブ フリッピング中のフリッパーの動きは、前掲の図を参照して記載したのと全く同様である。ことに、図示の位置では、ブレード３の上面は周辺部分近くで伸張可能要素５の側部部分５０２の下面に接し、このようにしてブレード３及びこれと一体の靴底２の前方部分の上方への屈曲を回避するか制限する。
【００１２】
従って、上述の記載から明らかなように、伸張可能要素は分離できるブレードと靴底とを備えたフリッパーに以下の更なる利点を与える。すなわち、固定手段が不要であり、さらに図１のフリッパーの実施形態と図３のフリッパーの実施形態とを組み合わせることにより、伸張可能要素をブレード３とともにフリッパーの残りの部分から取り外すことを可能とする。
【図面の簡単な説明】
【図１】  アクティブ フリッピングの始めまたは終わりの位置にある本発明による水泳用フリッパーの部分斜視図である。
【図２】  パッシブ フリッピングの終わりの位置にある、図１の水泳用フリッパーの部分斜視図である。
【図３】  交換可能なブレード部分を備えた本発明水泳用フリッパーの変形例の部分斜視図である。
【符号の説明】
１ 靴部分
２ 靴底
３ ブレード
４ 層
５ 伸張可能要素
２０１ 突出要素
２０２ 溝
２０３ 取付部
２０４ 取付部
２０５ 突出条片
２０６ スロット
３０１ スロット
３０２ 突出条片
３０３ 取付部
５０１ 端部部分
５０２ 側部部分
５０３ 中央部分
【図１】
0004652587.tif 000002
【図２】
0004652587.tif 000003
【図３】
0004652587.tif 000004